(57)【特許請求の範囲】
【請求項１】
筒状の口部を有し、ボトルの外観を形作る外殻と、この外殻の内側に積層配置され、外殻胴体部分のスクイズによる減容化にてその内部に収納した内容物を、該口部を通して注出する内袋とを備え、該内袋を外殻に対して剥離可能に形成すると共に前記口部の壁部に空気導入用の孔を形成した合成樹脂製ボトルであって、
前記ボトルに、外殻の口部外側壁に着脱自在にねじ止めして該口部を密封するキャップを設け、
該キャップは、口部に対面する天面壁と、この天面壁につながり該口部の側壁を囲撓してその内側に格納空間を形成する周壁からなり、
該周壁に、その下端部にて抜け止め保持され、口部の側壁基部への当接にて該格納空間と共に前記孔を外界から遮断するシールリングを設け、
該シールリングは、周壁の内面に沿うシール面を有する壁部を備えると共に、当該壁部の、キャップの周壁に対向する背面に、当該周壁との相互間に隙間を形成するものであることを特徴とする合成樹脂製ボトル。
【請求項２】
前記シールリングは、外殻を構成する材質よりも硬度が低い材質からなる、請求項1に記載の合成樹脂製ボトル。
【発明の詳細な説明】
【技術分野】
【０００１】
本発明は、内袋が外殻に対して剥離可能に形成された合成樹脂製ボトルに関するもので、内袋から透過する内容物の揮発成分等や内袋内に侵入する水蒸気等による影響を回避して内容物の品質の安定化を図ろうとするものである。
【背景技術】
【０００２】
外殻胴体部分のスクイズにしたがい内袋を減容させて内容物を注出する内袋が外殻に対して剥離可能に形成されたボトル（以下、デラミボトルという。）は、内容物の注出に伴う内圧の減少により、外殻の口部側壁に設けられた空気孔を通して外殻と内袋との相互間に空気を取り込んで該内袋を外殻から剥離させるとともに外殻のみを元の形状に復元するようにしている。
【０００３】
この種のボトルは、毛染め剤や化粧料、薬品等の充填ボトルとして近年幅広い分野で多用されており、その開封前は、口部に着脱自在にねじ止めされるキャップによって確実なシールが施されているが、ボトルの開封前にもかかわらず、空気孔を通して入り込んだ水蒸気等が該内袋を透過して内容物の品質を劣化させたり、内容物の成分が揮散して減量してしまうことが懸念されていた。
【０００４】
この点に関しては、内袋そのもののガスバリア性を高める等の工夫がなされていて、ある程度の改善が図られてはいるものの、製造コストの上昇が避けられず、未だ改善の余地が残されていた（例えば特許文献1参照）。
【特許文献１】特開2003-12012号公報
【発明の開示】
【発明が解決しようとする課題】
【０００５】
本発明の課題は、ボトルの開封前、外殻と内袋との相互間に導入される水蒸気等の外気に起因した内容物の品質劣化、及び、内容物の揮発成分等の透過による内容物の減量等を抑制できる新規な合成樹脂製デラミボトルを提案するところにある。
【課題を解決するための手段】
【０００６】
本発明は、筒状の口部を有し、ボトルの外観を形作る外殻と、この外殻の内側に積層配置され、外殻胴体部分のスクイズによる減容化にてその内部に収納した内容物を、該口部を通して注出する内袋とを備え、該内袋を外殻に対して剥離可能に形成すると共に前記口部の壁部に空気導入用の孔を形成した合成樹脂製ボトルであって、
前記ボトルに、外殻の口部外側壁に着脱自在にねじ止めして該口部を密封するキャップを設け、
該キャップは、口部に対面する天面壁と、この天面壁につながり該口部の側壁を囲撓してその内側に格納空間を形成する周壁からなり、
該周壁に、その下端部にて抜け止め保持され、口部の側壁基部への当接にて該格納空間と共に前記孔を外界から遮断するシールリングを設け、
該シールリングは、周壁の内面に沿うシール面を有する壁部を備えると共に、当該壁部の、キャップの周壁に対向する背面に、当該周壁との相互間に隙間を形成するものであることを特徴とする合成樹脂製ボトルである。
【０００７】
上記の構成になる合成樹脂製ボトルにおいて、前記シールリングは、外殻を構成する材質よりも硬度が低い材質にて構成することができる。
【発明の効果】
【０００８】
キャップを装着した際に、シールリングは壁部のシール面が外殻の口部の側壁基部に当接し、これにより、キャップの格納空間は外界から遮断されるので、空気孔を通して入り込んだ水蒸気等の外気が内袋を透過したり、内容物の揮散成分等が空気孔を通して外界へと放出されることがない。
【発明を実施するための最良の形態】
【０００９】
以下、図面を参照して本発明をより具体的に説明する。
図1は本発明に従う合成樹脂製のデラミボトルであり、図2は図1の要部を拡大して示した図である。
【００１０】
図における1はボトルの外観を形作る外殻である。この外殻1は円筒状の口部1aを有していて、その壁部には空気導入用の孔nが形成されている。また、2は外殻1の内側に配置された内袋である。この内袋2は内容物を収納するもので、外殻1をスクイズすることにより減容化させて口部1aから注出することができるようになっている。
【００１１】
3は外殻1の口部外側壁に着脱自在にねじ止めして該口部1aを密封するキャップである。このキャップ3は口部1aに対面して開口部分を塞ぐ天面壁3aと、この天面壁3aにつながり口部1aの側壁を囲撓してその内側に格納空間Mを形成する周壁3bからなる。
【００１２】
4は周壁3bの下端部においてアンダーカットの如き手段C（図2参照）にて抜け止め保持されたL形断面をなすシールリングである。このシールリング4は外殻を構成する樹脂よりも硬度が低い樹脂、例えば、エラストマーの如き軟材質にて構成され、周壁3bの内面に沿うシール面Sを有する壁部4aと、この壁部4aの下端に一体的につながり周壁3bの下端面にて合わさる底壁4bからなる。
【００１３】
5は壁部4aの背面で周壁3bとの相互間に形成された隙間である（図2参照）。シールリング4の壁部4aはシール面Sを押圧することで隙間5の分だけ撓み変形させることができるようになっていて、キャップ3を装着したとき、シールリング4の壁部4aにおけるシール面Sが口部1aの側壁基部1bに当接して格納空間Mが外界から遮断されて孔nからの外気の侵入あるいは内容物の揮散成分の排出を防止する。さらに、6は口部1aの上端面と天面壁3aとの間で挟持されるシール用のパッキンである。
【００１４】
上記の構成になるデラミボトルは、開封前の状態においては、キャップ3の格納空間Mはシールリング4によって外界から遮断されているため、孔ｎを通して外気が侵入するのを防ぐことができるだけでなく、内容物の揮散成分が放出されることがなくなり、内袋2bに収納された内容物の品質は保たれる。
【００１５】
外殻1はスクイズに際して容易に元の形状に復元することができる、例えば、高密度ポリエチレン、ポリプロピレン、ポリエチレンテレフタレート等にて構成するのがよく、内袋2はスクイズに際して容易に減容できる、例えば、低密度ポリエチレン、ナイロン、エチレン-ビニルアルコール共重合体等にて構成するのがよい。キャップ3については、シールリング4の確実な弾性変位を導くために高密度ポリエチレン、ポリプロピレン等にて構成する。
【産業上の利用可能性】
【００１６】
空気孔を通した内袋への外気（水蒸気等）の透過、侵入や内袋からの内容物の揮散成分の透過、放出を抑制乃至は防止できるデラミタイプの合成樹脂製ボトルが提供できる。
【図面の簡単な説明】
【００１７】
【図１】本発明に従う合成樹脂製ボトルの実施の形態を示した図である。
【図２】図1に示したボトルの要部拡大図である。
【符号の説明】
【００１８】
1  外殻
1a  口部
1b  側壁基部
2  内袋
3  キャップ
3a  天面壁
3b  周壁
4  シールリング
5  隙間
6  パッキン
n  孔
M  格納空間
【図１】
0004800117.tif 000002
【図２】
0004800117.tif 000003